(57)【要約】【課題】照明負荷を増やした場合でも、照明負荷全体の調光操作及びシーン再生レベルデータの設定などを行えるように複数の操作端末器を接続して、機能を拡張すること。【解決手段】本発明の照明制御システム１は、デイジーチェーンにより接続された複数の操作端末器であるメインユニット３及びパネルユニット４と、パッチ情報と操作端末器から出力される操作内容とに基づき照明負荷Ｓを調光制御する調光制御装置２と、を具備し、メインユニット３及びパネルユニット４は、後段のパネルユニット４からの操作内容の出力の有無を判別し、後段のパネルユニット４からの操作内容の出力があった場合には、この後段のパネルユニット４からの操作内容と、自らのパネルユニット４（又はメインユニット３）の操作内容とを合わせて前段のパネルユニット４（又はメインユニット３）に出力する。【選択図】図２
2012003990.tif 000002
【特許請求の範囲】
【請求項１】
複数の照明負荷の内、調光すべき照明負荷を所望の明るさの調光状態に操作するための複数の操作部を有し、この複数の操作部の操作内容を出力する複数の操作端末器であって、これら複数の操作端末器がデイジーチェーンにより接続された複数の操作端末器と；
前記複数の照明負荷のそれぞれと複数の操作端末器の各操作部との対応関係を示すパッチ情報と、前記複数の操作端末器の内、直接接続される操作端末器から出力される操作内容とに基づき前記照明負荷を調光制御する調光制御装置と；
を具備し、
前記複数の操作端末器は、後段の操作端末器からの前記操作内容の出力の有無を判別し、前記後段の操作端末器からの操作内容の出力があった場合には、この後段の操作端末器からの操作内容と、自らの操作端末器の操作内容とを合わせて前段の操作端末器に出力することを特徴とする照明制御システム。
【請求項２】
前記複数の操作端末器は、互いに出力する操作内容のｂｉｔ数が異なるものであって、この操作内容のｂｉｔ数で、識別が可能であることを特徴とする請求項１に記載の照明制御システム。
【請求項３】
前記複数の操作端末器の内、前記調光制御装置に接続される操作端末器が主操作端末器であり、この主操作端末器に接続される後段の操作端末器が副操作端末器であって、
前記主操作端末器は、前記副操作端末器から出力される操作内容の取り込みを無効又は有効にするための切換スイッチを有していることを特徴とする請求項１又は請求項２に記載の照明制御システム。
【請求項４】
前記副操作端末器は、前記主操作端末器に異常が発生した場合には、前記調光制御装置に接続可能であって、自らの操作端末器の操作内容を個別に出力、又は後段の操作内容を合わせて出力するかを設定するための個別動作スイッチをそれぞれ有していることを特徴とする請求項３に記載の照明制御システム。
【発明の詳細な説明】
【技術分野】
【０００１】
本発明の実施形態は、ホールや劇場等に用いられる照明制御システムに関する。
【背景技術】
【０００２】
従来より、ホールや劇場の屋内施設には、照明制御システムが設置されている。  
この種の照明制御システムは、屋内施設に配置した複数の照明負荷と、これら複数の照明負荷の内、調光すべき照明負荷を任意の明るさの調光状態に操作するための複数のフェーダ操作部を有する操作端末器と、この操作端末の複数のフェーダ操作部による操作に基づき、対応する照明負荷の調光を制御する調光制御装置とを有して構成される。
【０００３】
このような従来の照明制御システムの操作端末器としては、フェーダ操作部を用いて、照明負荷を制御するための単位であるチャネルにある照明における制御内容を設定し、この制御内容をシーン毎の再生レベルデータとして記憶部に格納し、シーン再生に応じて調光制御装置に出力するようにした操作端末器がある。
【０００４】
この操作端末器は、屋内施設の規模に応じて調光操作可能な照明負荷の数が異なる複数種類のものがあり、標準タイプの機種として、例えば、２０個の照明負荷に対する調光操作及びシーン再生レベルデータの設定を行えるものがある（例えば、非特許文献１参照）。
【先行技術文献】
【特許文献】
【０００５】
【非特許文献１】東芝ライテック株式会社著「ART LIGHTING PRODUCTS vol.7 114頁等  調光操作卓（TOLSTAR-11 TypeG）」
【発明の概要】
【発明が解決しようとする課題】
【０００６】
照明制御システムの使用形態としては、例えば、予め屋内施設の規模に最適の標準タイプの操作端末器を設置した後に、シーンの変更や、あるいはより効果的な演出を行うために、必要に応じて照明負荷を増やして設置する場合がある。
【０００７】
しかしながら、このように標準タイプの操作端末器の設置後に照明負荷の数を増やして設置する場合、従来の照明制御システムでは、この標準タイプの操作端末器を用いて増やした照明負荷に対する調光操作及びシーン再生レベルデータの設定を行うことができない。
【０００８】
すなわち、従来の照明制御システムは、使用形態に応じた様々な照明負荷の設置数に対応するために、新たにその照明負荷に対応する複数の操作端末器を接続することができず、機能を拡張することができないといった問題点があった。
【０００９】
そこで、本発明は前記問題点に鑑みてなされたもので、照明負荷を増やした場合でも、照明負荷全体の調光操作及びシーン再生レベルデータの設定などを行えるように複数の操作端末器を接続して、機能を拡張することができる照明制御システムを提供することを目的とする。
【課題を解決するための手段】
【００１０】
本発明の実施形態に係る照明制御システムは、複数の照明負荷の内、調光すべき照明負荷を所望の明るさの調光状態に操作するための複数の操作部を有し、この複数の操作部の操作内容を出力する複数の操作端末器であって、これら複数の操作端末器がデイジーチェーンにより接続された複数の操作端末器と；前記複数の照明負荷のそれぞれと複数の操作端末器の各操作部との対応関係を示すパッチ情報と、前記複数の操作端末器の内、直接接続される操作端末器から出力される操作内容とに基づき前記照明負荷を調光制御する調光制御装置と；を具備し、前記複数の操作端末器は、後段の操作端末器からの前記操作内容の出力の有無を判別し、前記後段の操作端末器からの操作内容の出力があった場合には、この後段の操作端末器からの操作内容と、自らの操作端末器の操作内容とを合わせて前段の操作端末器に出力することを特徴とする。
【発明の効果】
【００１１】
本発明の実施形態に係る照明制御システムによれば、照明負荷を増やした場合でも、照明負荷全体の調光操作及びシーン再生レベルデータの設定などを行えるように複数の操作端末器を接続して、機能を拡張することができる。
【図面の簡単な説明】
【００１２】
【図１】本発明の第１の実施の形態に係る照明制御システムの構成を示す構成図。
【図２】図１の照明制御システムの具体的な回路構成、及び各出力データのフレーム構成を示す構成図。
【図３】図２のパネルユニットの接続順序が異なる場合の照明制御システムの回路構成を示す構成図。
【図４】図２のメインユニットの制御部による制御例を示すフローチャート。
【図５】図２のパネルユニットの制御部による制御例を示すフローチャート。
【図６】本発明の第２の実施の形態に係る照明制御システムの構成を示す構成図。
【図７】図６の照明制御システムにおいて、メインユニットに異常が発生した場合の構成を示す構成図。
【図８】図６の照明制御システムにおいて、メインユニット及びパネルユニットＡ２に異常が発生した場合の構成を示す構成図。
【図９】図６の照明制御システムにおいて、メインユニット及びパネルユニットＡ１に異常が発生した場合の構成を示す構成図。
【図１０】図６のパネルユニットの制御部による制御例を示すフローチャート。
【発明を実施するための最良の形態】
【００１３】
本発明に係る実施形態の照明制御システムは、複数の照明負荷の内、調光すべき照明負荷を所望の明るさの調光状態に操作するための複数の操作部を有し、この複数の操作部の操作内容を出力する複数の操作端末器であって、これら複数の操作端末器がデイジーチェーンにより接続された複数の操作端末器と；前記複数の照明負荷のそれぞれと複数の操作端末器の各操作部との対応関係を示すパッチ情報と、前記複数の操作端末器の内、直接接続される操作端末器から出力される操作内容とに基づき前記照明負荷を調光制御する調光制御装置と；を具備し、前記複数の操作端末器は、後段の操作端末器からの前記操作内容の出力の有無を判別し、前記後段の操作端末器からの操作内容の出力があった場合には、この後段の操作端末器からの操作内容と、自らの操作端末器の操作内容とを合わせて前段の操作端末器に出力することを特徴とする。
【００１４】
本発明及び以下の請求項の各発明に係わる実施の形態において、特に限定しない限り、用語の定義及び技術的意味は次による。
【００１５】
操作端末器は、例えば、コントローラであって、前記複数の操作部がスライド型のフェーダスイッチ、あるいはタッチパネル式のフェーダスイッチで構成したものであるが、これに限定されるものではなく、フェーダスイッチ以外の操作部であってもよい。
【００１６】
また、複数の操作端末器は、デイジーチェーンにより接続される。つまり、この操作端末器は、制御信号を有線で伝送する有線伝送式のコントローラで構成するが、例えば、制御信号を無線で伝送する無線伝送式のコントーラで構成してもよい。但し、操作端末器間で制御信号を無線で伝送する構成にする必要がある。
【００１７】
また、複数の操作端末器は、後段の操作端末器からの操作内容の出力の有無を判別し、後段の操作端末器からの操作内容の出力があった場合には、この後段の操作端末器からの操作内容と、自らの操作端末器の操作内容とを合わせて前段の操作端末器に出力する。この操作内容に基づくデータの伝送は、例えば、ＤＭＸ５１２（１９９０）（米国劇場技術協会（ＵＳＩＴＴ）規格）の規格に沿った形式で行うが、これに限定されるものではない。
【００１８】
請求項２の発明に係る照明制御システムは、請求項１に記載の照明制御システムにおいて、前記複数の操作端末器は、互いに出力する操作内容のｂｉｔ数が異なるものであって、この操作内容のｂｉｔ数で、識別が可能であることを特徴とする。
【００１９】
複数の操作端末器は、それぞれ出力する操作内容のｂｉｔ数が異なるものであって、この操作内容のｂｉｔ数で、識別が可能であるが、これに限定されるものではなく、例えば、それぞれの操作端末器にアドレスを設定することにより、操作端末器を識別可能に構成しても良い。  
この構成によれば、複数の操作端末器を識別可能とすることで、接続状態が異常である場合などを検知することができる。
【００２０】
請求項３の発明に係る照明制御システムは、請求項１又は請求項２に記載の照明制御システムにおいて、前記複数の操作端末器の内、前記調光制御装置に接続される操作端末器が主操作端末器であり、この主操作端末器に接続される後段の操作端末器が副操作端末器であって、前記主操作端末器は、前記副操作端末器から出力される操作内容の取り込みを無効又は有効にするための切換スイッチを有していることを特徴とする。
【００２１】
主操作端末器は、前記副操作端末器から出力される操作内容の取り込みを無効又は有効にするための切換スイッチを有しており、この切換スイッチの操作に基づいて副操作端末器から出力される操作内容の取り込みを無効にしたり、又は有効にしたり制御する。
【００２２】
なお、本実施形態において、主操作端末器はメインユニットを構成し、このメインユニットに接続される後段の操作端末器はパネルユニットを構成している。
【００２３】
この構成によれば、切換スイッチを設けたことにより、複数の照明負荷の調光操作及び調光に伴う設定を、主操作端末器のみと、副操作端末器を含む主操作端末器とを切り替えて行うことができる。
【００２４】
請求項４の発明に係る照明制御システムは、請求項３に記載の照明制御システムにおいて、前記副操作端末器は、前記主操作端末器に異常が発生した場合には、前記調光制御装置に接続可能であって、自らの操作端末器の操作内容を個別に出力、又は後段の操作内容を合わせて出力するかを設定するための個別動作スイッチをそれぞれ有していることを特徴とする。
【００２５】
副操作端末器は、主操作端末器に異常が発生した場合には、調光制御装置に接続可能であって、自らの操作端末器の操作内容を個別に出力、又は後段の操作内容を合わせて出力するかを設定するための個別動作スイッチをそれぞれ有し、この個別動作スイッチの設定に基づき、自らの操作端末器の操作内容を個別に出力したり、又は後段の操作内容を合わせて出力したり制御する。
【００２６】
この構成によれば、主操作端末器に異常が発生した場合や、さらに、一つの副操作端末器との接続に異常が発生した場合でも、複数の照明負荷の調光操作及び調光に伴う設定を行うことができる。
【００２７】
（第１の実施の形態）
以下、図面を参照して本発明の実施の形態について詳細に説明する。
【００２８】
図１は、第１の実施の形態に係る照明制御システムの構成を示す構成図である。  
図１に示す照明制御システム１は、ホールや劇場等の屋内施設に設置されるもので、複数の照明負荷Ｓ１、Ｓ２…Ｓｎ（ｎは整数）と、調光制御装置２と、複数の操作端末器（コントローラともいう）とを有して構成される。複数の操作端末器は、主操作端末器であるメインユニット３及び副操作端末器である複数のパネルユニット４（Ａ１、Ａ２、Ｂ、Ｃ）と、を有して構成される。  
複数の照明負荷Ｓ１、Ｓ２…Ｓｎは、制御信号線５ａにより、調光制御盤である調光制御装置２に接続される。また、複数の操作端末器３、４は、制御信号線５ｂを用いたデイジーチェーン（daisy chain）形式により調光制御装置２に接続される。すなわち、メインユニット３は制御信号線５ｂにより調光制御装置２に接続される。このメインユニット３には、制御信号線５ｂによりパネルユニット４が接続される。  
なお、制御信号線５ａ及び５ｂは、図においては１本で示してあるが、複数の信号線から構成される。
【００２９】
パネルユニット４は、例えば、４個のパネルユニットで構成され、メインユニット３に接続されるパネルユニットＡ１と、このパネルユニットＡ１の後段に接続されるパネルユニットＡ２と、このパネルユニットの後段に接続されるパネルユニットＢと、そして、最も後端側に接続されたものであり、パネルユニットＢの後段に接続されるパネルユニットＣとを有している。
【００３０】
本実施形態において、メインユニット３は、例えば、２０個の照明負荷Ｓ１〜Ｓ２０の調光操作及び調光に伴う設定が可能な標準タイプの機種を用いている。  
また、パネルユニットＡ１、Ａ２、Ｂ、Ｃは、例えば、夫々１０個の照明負荷の調光操作及び調光に伴う設定が可能なタイプの機種を用いている。  
なお、メインユニット３及びパネルユニット４は、このような機種及び数に限定されるものではない。例えば、パネルユニット４は、増加した照明付加数に対応可能なタイプのパネルユニット４を設け、或いは所定の照明負荷数に対応可能なパネルユニット４を複数設けて接続しても良い。
【００３１】
本実施形態において、複数の照明負荷Ｓ１、Ｓ１…Ｓｎは、例えば、２０個の照明負荷Ｓ１〜Ｓ２０に４０個の照明負荷を増やした６０個の照明負荷Ｓ１〜Ｓ６０とする。そして、この照明制御システム１の調光制御装置２は、６０個の照明負荷Ｓ１〜Ｓ６０のそれぞれとメインユニット３及びパネルユニット４の各フェーダ操作部との対応関係を示すパッチ情報と、複数のパネルユニット４の内、直接接続されるパネルユニット４から出力される操作内容とに基づき前記照明負荷Ｓ１〜Ｓ６０を調光制御したり、この調光に伴う設定を行う。
【００３２】
次に、照明制御システム１のメインユニット３及びパネルユニット４の具体的な回路構成について図２を用いて説明する。
【００３３】
図２に示すように、メインユニット３は、データの入出力のための２つのインターフェース部（以下、Ｉ／Ｆと略す）６、７と、記憶部８と、制御部９と、切換スイッチ１０ａを備えた入力部１０とを有して構成される。
【００３４】
Ｉ／Ｆ６に接続される制御信号線５ｂは、調光制御装置２に接続される。このＩ／Ｆ６は、制御部９からの制御データを、調光制御装置２に出力する。すなわち、調光制御装置２には、メインユニット３の出力制御データ３ａが入力される。
【００３５】
Ｉ／Ｆ７に接続される制御信号線５ｂは、後段のパネルユニットＡ１のＩ／Ｆ１１に接続される。このＩ／Ｆ７は、後段のパネルユニットＡ１からの操作内容（以下、制御データと称す）の出力４ａ１を取り込み、制御部９に出力する。
【００３６】
記憶部８は、制御部９が後述する入力部１０の切換スイッチ１０ａの操作に基づき制御データを調光制御装置２に出力するのに必要なプログラム等を格納している。制御部９は、この記憶部８に格納された所定のプログラムを実行することで、メインユニット３のみの制御データを調光制御装置２に出力したり、後段のパネルユニット４から出力された制御データをメインユニット３の制御データに合わせて調光制御装置２に出力したりするなどの出力データ制御等を行う。
【００３７】
なお、記憶部８は、予め設定された、複数の照明負荷Ｓ１〜Ｓ２０と入力部１０に設けられたフェーダ操作部（図示せず）との対応関係を示すパッチ情報を記憶している。勿論、記憶部８は、増加した照明負荷Ｓ２１〜Ｓ６０とパネルユニット４の入力部１４のフェーダ操作部との対応関係を示すパッチ情報の記憶も可能である。
【００３８】
入力部１０は、例えば、複数の照明負荷Ｓ１〜Ｓ６０の内、対応する照明負荷を任意の明るさの調光状態に操作するための操作部を構成する複数のフェーダ操作部（図示せず）と、切換スイッチ１０ａとを有している。これら複数のフェーダ操作部、例えばフェーダスイッチとして構成される。  
切換スイッチ１０ａは、後段のパネルユニットＡ１から出力される制御データの取り込みを無効又は有効にするためのスイッチである。制御部９は、この切換スイッチ１０ａの操作に基づいて後段のパネルユニットＡ１から出力される制御データの取り込みを無効にしたり、又は有効にしたり制御する。
【００３９】
次に、パネルユニット４の具体的な回路構成について説明する。  
図２に示すように、パネルユニットＡ１は、略メインユニット３と同様に構成される。すなわち、パネルユニット１Ａは、データの入出力のための２つのＩ／Ｆ１１、１２と、制御部１３と、入力部１４とを有して構成される。
【００４０】
Ｉ／Ｆ１１に接続される制御信号線５ｂは、前段のメインユニット３のＩ／Ｆ７に接続される。このＩ／Ｆ１１は、制御部１３からの制御データを、前段のメインユニット３のＩ／Ｆ７に出力する。
【００４１】
Ｉ／Ｆ１２に接続される制御信号線５ｂは、後段のパネルユニットＡ２のＩ／Ｆ１１に接続される。このＩ／Ｆ１２は、後段のパネルユニットＡ２からの出力制御データ４ａ２を取り込み、制御部１３に出力する。
【００４２】
入力部１４は、例えば、複数の照明負荷Ｓ１〜Ｓ６０の内、対応する照明負荷を任意の明るさの調光状態に操作するための操作部を構成する複数のフェーダ操作部（図示せず）を有している。これら複数のフェーダ操作部、例えばフェーダスイッチとして構成される。
【００４３】
また、パネルユニットＡ２、パネルユニットＢ、及びパネルユニットＣは、前記パネルユニットＡ１と同様に構成されているので、回路構成の説明を省略する。  
なお、本実施形態においては、パネルユニットCが末端に接続されているので、このパネルユニットCのＩ／Ｆ１２には制御データが供給されない。
【００４４】
また、複数の操作端末器を構成するメインユニット３及びパネルユニット４（Ａ１、Ａ２、Ｂ、Ｃ）は、それぞれ出力する制御データのｂｉｔ数が異なっている。すなわち、これは、この制御データのｂｉｔ数で、メインユニット３がパネルユニット４の識別を行うためである。
【００４５】
本実施形態では、例えば、メインユニット３の出力制御データ３ａのｂｉｔ数は２０ｂｙｔｅとし、パネルメインユニットＡ１の出力制御データ４ａ１のｂｉｔ数は４０ｂｙｔｅ、パネルユニットＡ２の出力制御データ４ａ２のｂｉｔ数は６０ｂｙｔｅ、パネルユニットＢの出力制御データ４ｂのｂｉｔ数は３１ｂｙｔｅ、さらに、パネルユニットＣの出力制御データ４ｃのｂｉｔ数は３３ｂｙｔｅとしている。
【００４６】
なお、本実施形態では、制御データのｂｉｔ数による識別に限定されるものではなく、例えば、それぞれの操作端末器（メインユニット３及びパネルユニット４）にアドレスを設定することにより、各操作端末器を識別可能に構成しても良い。
【００４７】
本実施形態の照明制御システム１において、メインユニット３及びパネルユニット４は、後段のパネルユニット４からの制御データの出力の有無を判別し、後段のパネルユニット４からの制御データの出力があった場合には、この後段のパネルユニット４からの制御データと、自らのパネルユニット３の制御データとを合わせて前段のパネルユニット（メインユニット３も含む）に出力する。
【００４８】
したがって、図２に示すように、パネルユニットＣの出力制御データ４ｃは、自らのパネルユニットＣの３３ｂｙｔｅの制御データとなり、また、パネルユニットＢの出力制御データ４ｂは、このパネルユニットＢの３１ｂｙｔｅの制御データに前段のパネルユニットＣの３３ｂｙｔｅの制御データを合わせたものとなる。
【００４９】
また、パネルユニットＡ２の出力制御データ４ａ２は、このパネルユニットＡ２の６０ｂｙｔｅの制御データに前段のパネルユニットＢの出力制御データ４ｂを合わせたものとなる。また、パネルユニットＡ１の出力制御データ４ａ１は、このパネルユニットＡ１の４０ｂｙｔｅの制御データに前段のパネルユニットＡ２の出力制御データ４ａ２を合わせたものとなる。
【００５０】
さらに、メインユニット３の出力制御データ３ａは、このメインユニット３の２０ｂｙｔｅの制御データに前段のパネルユニットＡ１の出力制御データ４ａを合わせたものとなる。したがって、このメインユニット３の出力制御データ３ａは、このメインユニット３及びパネルユニット４の全ての制御データを演算処理したものであり、常時調光制御装置２に供給される。
【００５１】
なお、図３は、パネルユニットの接続順序が異なる場合の照明制御システムの回路構成を示す構成図である。図３においては、パネルユニットＡ１、Ａ２、Ｂの接続順序が図２に示す構成に対して異なっている。すなわち、メインユニット３にはパネルユニットＡ２が接続され、このパネルユニットＡ２にはパネルユニットＢが接続され、このパネルユニットＢにはパネルユニットＡ１が接続されている。そして、このパネルユニットＡ１には、図２に示すシステム同様にパネルユニットＣが接続される。
【００５２】
このような接続形態の照明制御システム１では、パネルユニット４は、後段のパネルユニット４からの出力制御データを所定の順序でソートして前段のパネルユニット４及びメインユニット３に出力するようになっている。
【００５３】
次に、本実施形態の照明制御システム１のメインユニット３及びパネルユニット４の制御例を図４及び図５を用いて説明する。  
なお、このメインユニット３及びパネルユニット４の制御例は、照明負荷Ｓを増設した場合に行われるシーン再生データの設定等の設定モード、あるいは各照明負荷Ｓを調光制御している調光モード等が実行されている間に行われるようになっている。
【００５４】
最初に、メインユニット３の制御部９の制御例について図４を用いて説明する。  
照明制御システム１の電源が投入されると、メインユニット３の制御部９は、記憶部８から図４に示すプログラムを読み出して実行する。
【００５５】
制御部９は、ステップＳ１の判断処理により、外部（後段）からの入力データ（出力制御データ）があるか否かを判断する。入力データがない場合には、処理をステップＳ２に移行し、入力データがある場合には、処理をステップＳ４に移行する。
【００５６】
入力データがないものと判断した場合、ステップＳ２の処理により、制御部９は、メインユニット３の制御データ（記憶部８に記憶されたパッチ情報を含み、入力部１０によって操作された制御データ）に所定の処理を施し、続くステップＳ３の処理により、出力制御データ３ａを調光制御装置２に出力してプログラムを終了させる。
【００５７】
一方、入力データがあるものと判断した場合、制御部９は、ステップＳ４の判断処理により、後段のパネルユニット４に異常の接続があるか否かを判断する。この場合、制御部９は、後段から送られてきた出力制御データのｂｙｔｅ数により、接続の異常の有無を判断し、異常がある場合には、ステップＳ１０の処理により、図示しない表示部に異常を示すアラート表示させるように制御し、このプログラムを終了させる。
【００５８】
また、異常がないものと判断した場合、制御部９は、続くステップＳ５の処理により、入力データのｂｙｔｅ数から接続されているパネルユニット４の種別を判断し、続くステップＳ６の判断処理を行う。
【００５９】
ステップＳ６の判断処理では、制御部９は、切換スイッチ１０ａの操作信号に基づき、パネルユニット４からの出力制御データの取り込みを有効にしているか否かを判断する。有効でない場合、すなわち、無効だと判断した場合には、処理を前記ステップＳ２に移行する。一方、有効であると判断した場合には、続くステップＳ７の判断処理で、有効にするパネルユニット４が少なくともひとつ接続されているか否かを出力制御データのｂｙｔｅ数の識別結果に基づく判断する。
【００６０】
ステップＳ７の判断処理で、有効にするパネルユニット４が少なくとも一つ接続されていない場合には、処理を前記ステップＳ２に戻し、接続されている場合には、処理をステップＳ８に移行する。
【００６１】
ステップＳ８の処理では、制御部９は、後段に接続されたパネルユニット４の出力制御データ（図２の場合では、パネルユニットＡ１の出力制御データ４ａ１）と自らのメインユニット３の制御データ（記憶部８に記憶されたデータあるいは実際に操作された制御データ）とを合わせるように所定の処理を施す。そして、制御部９は、続くステップＳ９の処理で、処理を施した出力制御データ３ａを調光制御装置２に出力した後、このプログラムを終了する。
【００６２】
次に、パネルユニット４の制御部１３の制御例について図５を用いて説明する。  
照明制御システム１の電源が投入されると、パネルユニット４の制御部１３は、図示しないメモリから図５に示すプログラムを読み出して実行する。
【００６３】
制御部１３は、ステップＳ１１の判断処理により、外部（後段）からの入力データ（出力制御データ）があるか否かを判断する。入力データがない場合には、処理をステップＳ１２に移行し、入力データがある場合には、処理をステップＳ１４に移行する。
【００６４】
入力データがないものと判断した場合、ステップＳ１２の処理により、制御部１３は、自らのパネルユニット４の制御データ（入力部１４によって操作された操作内容に基づく制御データ）をセットし、続くステップＳ１３の処理により、このセットした出力制御データを前段のメインユニット３又はパネルユニット４に出力してプログラムを終了させる。
【００６５】
一方、入力データがあるものと判断した場合、制御部１３は、ステップＳ１４の判断処理により、後段のパネルユニット４に異常の接続があるか否かを判断する。この場合、制御部１３は、後段から送られてきた出力制御データのｂｙｔｅ数で、接続の異常の有無を判断し、異常がある場合には、ステップＳ１７の処理により、図示しない表示部に異常を示すアラート表示させるように制御し、処理をステップＳ１３に移行する。
【００６６】
また、異常がないものと判断した場合、制御部１３は、続くステップＳ１５の処理により、入力データのｂｙｔｅ数から接続されているパネルユニット４の種別を判断し、処理をステップＳ１６に移行する。
【００６７】
そして、ステップＳ１６の処理では、さらに、自らのパネルユニット４の種別と後段に接続されたパネルユニット４の種別とを判断し、その後、続くステップＳ１６の処理で、この判断結果に基づき、自らのパネルユニット４の種別と後段に接続されたパネルユニット４の種別とを比較し、この比較結果に基づき、自らのパネルユニット４の出力制御データと後段に接続されたパネルユニット４の出力制御データとを所定の順番でソートして、処理をステップＳ１３に移行する。
【００６８】
ステップＳ１３の処理では、制御部１３は、セットあるいはソートした出力制御データを前段のパネルユニット４又はメインユニット３に向けて出力して、このプログラブを終了させる。
【００６９】
このように、メインユニット３及びパネルユニット４の制御を行うことにより、標準タイプの操作端末器（メインユニット３）の設置後に照明負荷の数を増やして設置した場合、従来の照明制御システムでは、使用形態に応じた様々な照明負荷の設置数に対応するために、新たにその照明負荷に対応する複数の操作端末器を接続することができなかったが、本実施形態の照明制御システム１は、複数の操作端末器（パネルユニット４）を接続することができ、さらに、増やした照明負荷に対する調光操作及びシーン再生レベルデータの設定を行うことが可能となる。
【００７０】
したがって、第１の実施の形態によれば、照明負荷Ｓを増やした場合でも、照明負荷Ｓ全体の調光操作及びシーン再生レベルデータの設定などを行えるように複数の操作端末器（メインユニット３及びパネルユニット４）を接続して、機能を拡張することができる照明制御システムの実現が可能となる。
【００７１】
（第２の実施の形態）
図６から図１０は、本発明の第２の実施の形態に係り、図６は、第２の実施の形態に係る照明制御システムの構成を示す構成図、図７は、図６の照明制御システムにおいて、メインユニットに異常が発生した場合の構成を示す構成図、図８は、図６の照明制御システムにおいて、メインユニット及びパネルユニットＡ２に異常が発生した場合の構成を示す構成図、図９は、図６の照明制御システムにおいて、メインユニット及びパネルユニットＡ１に異常が発生した場合の構成を示す構成図、図１０は、図６のパネルユニットの制御部による制御例を示すフローチャートである。
【００７２】
なお、図６から図１０は、第１の実施の形態の装置と同様な構成要素、及び同様な制御部の処理内容については、同一の符号及びステップ番号を付して説明を省略し、異なる部分のみを説明する。
【００７３】
本実施形態の照明制御システム１Ｂは、メインユニット３に異常が発生した場合や、さらに一つのパネルユニット４との接続に異常が発生した場合でも、複数の照明負荷Ｓの調光操作及び調光に伴う設定を行うことができるように構成される。
【００７４】
図６に示す本実施形態の照明制御システム１Ｂは、前記第１の実施の形態の照明制御システム１の構成と略同様であるが、メインユニット３にはパネルユニット４Ａが接続されている。このパネルユニット４Ａは、２つのパネルユニットＡ１、Ａ２で構成されており、第１の実施の形態と同様にメインユニット３にデイジーチェーン形式により接続される。
【００７５】
また、本実施形態のパネルユニット４Ａは、図６に示すように、入力部１４内に個別動作スイッチ１４ａを設けている。この個別動作スイッチ１４ａは、自らのパネルユニット４Ａの制御データを個別に出力、又は後段のパネルユニット４Ａの制御データを合わせて出力するかを設定するためのスイッチである。
【００７６】
パネルユニット４Ａの制御部１３は、個別動作スイッチ１４ａの操作による設定に基づいて、自らのパネルユニット４Ａの制御データを個別に出力、又は後段のパネルユニット４Ａの制御データを合わせて出力するように制御する。
【００７７】
なお、図６に示すようにメインユニット３及びパネルユニット４Ａの接続がなにも異常なければ、前記第１の実施の形態と同様に動作する。したがって、正常時には、図２に示すように、パネルメインユニットＡ２の出力制御データ４ａ２は、自らのパネルユニットＡ２の６０ｂｙｔｅの制御データとなり、また、パネルユニットＡ１の出力制御データ４ａ１は、このパネルユニットＡ１の４０ｂｙｔｅの制御データに前段のパネルユニットＡ２の６０ｂｙｔｅの制御データを合わせたものとなる。
【００７８】
さらに、メインユニット３の出力制御データ３ａは、このメインユニット３の２０ｂｙｔｅの制御データに前段のパネルユニットＡ１の出力制御データ４ａ１を合わせたものとなる。したがって、このメインユニット３の出力制御データ３ｂは、このメインユニット３及びパネルユニット４Ａの全ての制御データであり、常時調光制御装置２に供給される。
【００７９】
次に、メインユニット３の異常発生時、及び１つのパネルユニット４Ａの接続の異常発生時に伴う構成について図７から図９を用いて説明する。
【００８０】
複数の照明負荷Ｓの調光制御又は調光に伴う設定を行う前に、メインユニット３のみが異常を発生した場合には、作業者は、図７に示すように、予めパネルユニットＡ１のＩ／Ｆ１１に接続された制御信号線５ｂを、メインユニット３から外し調光制御装置２に接続するように切り替える。このとき、作業者は、パルユニットＡ１の個別動作スイッチ１４ａをオン操作しておく。すなわち、後段のパネルユニットＡ２の制御データを合わせて出力するように設定する。
【００８１】
また、図８には、メインユニット３の異常の他に、パネルユニットＡ２の接続に異常が発生した場合の構成が示されている。このような場合、作業者は、パルユニットＡ１の個別動作スイッチ１４ａをオフ操作しておく。すなわち、自らのパネルユニットＡ１の制御データを個別に出力するように設定する。
【００８２】
さらに、図９には、メインユニット３の異常の他に、パネルユニットＡ１の接続に異常が発生した場合の構成が示されている。このような場合、図７に示すように、予めパネルユニットＡ２のＩ／Ｆ１１に接続された制御信号線５ｂを、前段のパネルユニットＡ１から外し調光制御装置２に接続するように切り替える。このとき、作業者は、パルユニットＡ２の個別動作スイッチ１４ａをオフ操作しておく。すなわち、自らのパネルユニットＡ２の制御データを個別に出力するように設定する。
【００８３】
次に、本実施形態の照明制御システム１Ｂの作用を説明する。  
なお、メインユニット３の制御部９の制御例は、前記第１の実施の形態における図４に示すフローチャートと同様に制御するので、説明を省略し、パネルユニット４Ａの制御部１３の制御例について図１０を用いて説明する。
【００８４】
照明制御システム１の電源が投入されると、パネルユニット４Ａの制御部１３は、図示しないメモリから図１０に示すプログラムを読み出して実行する。
【００８５】
制御部１３は、ステップＳ２０の判断処理により、個別動作スイッチ１４ａがオン操作されたか否かを判断し、オン操作された場合には、処理をステップＳ２２に移行し、オフ操作された場合には、処理をステップＳ１１に移行する。
【００８６】
ステップＳ１１の判断処理により、制御部１３は、前記第１の実施の形態と同様に、外部（後段）からの入力データ（出力制御データ）があるか否かを判断する。入力データがない場合には、処理をステップＳ１２に移行し、入力データがある場合には、処理をステップＳ１４に移行する。
【００８７】
入力データがないものと判断した場合、ステップＳ１２の処理により、制御部１３は、自らのパネルユニット４Ａの制御データ（入力部１４によって操作された操作内容に基づく制御データ）をセットし、続くステップＳ２１の処理により、このセットした制御データを前段のパネルユニット４Ａ又は調光制御装置２に出力してプログラムを終了させる。
【００８８】
一方、入力データがあるものと判断した場合、制御部１３は、ステップＳ１４の判断処理により、後段のパネルユニット４に異常の接続があるか否かを判断する。この場合、制御部１３は、後段から送られてきた出力制御データのｂｙｔｅ数で、接続の異常の有無を判断し、異常がある場合には、ステップＳ１７の処理により、図示しない表示部に異常を示すアラート表示させるように制御し、処理を前記ステップＳ２１に移行する。
【００８９】
また、異常がないものと判断した場合、制御部１３は、続くステップＳ１５の処理により、入力データのｂｙｔｅ数から接続されているパネルユニット４の種別を判断し、処理をステップＳ１６に移行する。
【００９０】
そして、ステップＳ１６の処理では、さらに、自らのパネルユニット４の種別と後段に接続されたパネルユニット４の種別とを判断し、その後、続くステップＳ１６の処理で、この判断結果に基づき、自らのパネルユニット４の種別と後段に接続されたパネルユニット４の種別とを比較し、この比較結果に基づき、自らのパネルユニット４の制御データと後段に接続されたパネルユニット４の出力制御データとを所定の順番でソートして、処理を前記ステップＳ２１に移行する。
【００９１】
ステップＳ２１の処理では、制御部１３は、セットあるいはソートした出力制御データを前段のパネルユニット４Ａ又は調光制御装置２に向けて出力して、このプログラブを終了させる。
【００９２】
前記ステップＳ２０の判断処理により、個別動作スイッチ１４ａがオン操作されたと判断された場合、制御部１３は、ステップＳ２２〜２７に基づくルーチンを実行する。すなわち、制御部１３は、ステップＳ２２の判断処理により、外部（後段）からの入力データ（出力制御データ）があるか否かを判断する。入力データがない場合には、処理をステップＳ２３に移行し、入力データがある場合には、処理をステップＳ２５に移行する。
【００９３】
入力データがないものと判断した場合、ステップＳ２３の処理により、制御部１３は、自らのパネルユニット４Ａの制御データ（入力部１４によって操作された操作内容に基づく制御データ）を、例えば、ＤＭＸ５１２（１９９０）（米国劇場技術協会（ＵＳＩＴＴ）規格）の規格に沿ったフォーマットに変換してセットし、処理をステップＳ２４に移行する。
【００９４】
一方、入力データがあるものと判断した場合、制御部１３は、ステップＳ２５の判断処理により、後段のパネルユニット４Ａに異常の接続があるか否かを判断する。この場合、制御部１３は、後段から送られてきた出力制御データのｂｙｔｅ数で、接続の異常の有無を判断し、異常がある場合には、前記ステップＳ２３に処理を移行する。
【００９５】
また、異常がないものと判断した場合、制御部１３は、続くステップＳ２６の処理により、自らのパネルユニット４Ａの制御データ（入力部１４によって操作された操作内容に基づく制御データ）を、例えば、ＤＭＸ５１２（１９９０）（米国劇場技術協会（ＵＳＩＴＴ）規格）の規格に沿ったフォーマットに変換してセットし、直後のＤＭＸチャンネルに、後段に接続されているパネルユニット４Ａの制御データをセットし、処理をステップＳ２４に移行する。
【００９６】
ステップＳ２４の判断処理では、制御部１３は、パネルユニット４Ａにパッチデータ（パッチ情報）があるか否かを判別し、ない場合には、処理をステップＳ２１に移行し、一方、ある場合には、ステップＳ２７の処理で、パッチデータに合わせて制御データをソートした後、処理をステップＳ２１に移行する。
【００９７】
ステップＳ２１の処理では、制御部１３は、セットした出力制御データを前段のパネルユニット４Ａ又は調光制御装置２に出力してプログラムを終了させる。
【００９８】
したがって、第２の実施の形態によれば、このようなパネルユニット４Ａの制御を行うことにより、メインユニット３に異常が発生した場合や、さらに一つのパネルユニット４との接続に異常が発生した場合でも、複数の照明負荷Ｓの調光操作及び調光に伴う設定を行うことができる照明制御システムの実現が可能となる。
【００９９】
なお、第１及び第２の実施の形態において、より演出効果を高めるために、例えば、メインユニット３及び複数のパネルユニット４、４Ａにシーン再生スイッチをそれぞれ設け、このシーン再生スイッチを押下することにより、各フェーダ操作部に対応する照明負荷Ｓ１〜Ｓ６０による調光量が、予めシーン毎に設定された調光量となるように調光制御するシーン再生モードを設けて構成してもよい。
【０１００】
本発明は、上述した実施の形態及び変形例に限定されるものではなく、本発明の要旨を変えない範囲において、種々の変更、改変等が可能である。
【符号の説明】
【０１０１】
１…照明制御システム、
２…調光制御装置、
３…メインユニット、
４（Ａ１、Ａ２、Ｂ、Ｃ）…パネルユニット、
５ａ、５ｂ…制御信号線、
８…記憶部、
９…制御部、
１０…入力部、
１０ａ…切換スイッチ、
１３…制御部、
１４…入力部、
１４ａ…個別動作スイッチ、
Ｓ…照明負荷。
【図１】
2012003990.tif 000003
【図２】
2012003990.tif 000004
【図３】
2012003990.tif 000005
【図４】
2012003990.tif 000006
【図５】
2012003990.tif 000007
【図６】
2012003990.tif 000008
【図７】
2012003990.tif 000009
【図８】
2012003990.tif 000010
【図９】
2012003990.tif 000011
【図１０】
2012003990.tif 000012